(57)【要約】      （修正有）【課題】低コストにて、寝た人が起き上がることを補助する補助具を提供する。【解決手段】起き上がり補助具１０は、寝具に横たわる人の足部側に配置された配置具に一端が連結され、他端が寝具に横たわる人の頭部側にのびる紐状部材１１と、紐状部材１１に任意の間隔で複数装備され、寝具に横たわる人によって把持可能な把持部材１２と、を備える。そして、把持部材１２は、紐状部材１１に沿って寝具に横たわる人の頭部側に移動しないよう紐状部材１１に係止されて装備されている。【選択図】図２
0003160445.tif 000002
【実用新案登録請求の範囲】
【請求項１】
寝具に横たわる人の足部側に配置された配置具に一端が連結され、他端が寝具に横たわる人の頭部側にのびる紐状部材と、
前記紐状部材に任意の間隔で複数装備され、前記寝具に横たわる人によって把持可能な把持部材と、を備え、
前記把持部材は、前記紐状部材に沿って前記寝具に横たわる人の頭部側に移動しないよう当該紐状部材に係止されて装備されている、
起き上がり補助具。
【請求項２】
請求項１に記載の起き上がり補助具であって、
前記把持部材は、前記紐状部材に任意の間隔で形成された結び目によって当該紐状部材に沿って前記寝具に横たわる人の頭部側に移動しないよう係止されている、
起き上がり補助具。
【請求項３】
請求項１に記載の起き上がり補助具であって、
前記把持部材は、中心に前記紐状部材が挿通される貫通穴を有しており、当該貫通穴の大きさは、当該貫通穴に挿通される前記紐状部材の前記配置具に連結された一端側よりも他端側が広く形成されており、前記貫通穴内の当該貫通穴が広く形成されている側に前記紐状部材の結び目が位置して、前記把持部材が前記紐状部材に沿って前記寝具に横たわる人の頭部側に移動しないよう係止されている、
起き上がり補助具。
【請求項４】
横たわる人が体の下に敷く敷部材と、
上部に前記敷部材が載置される所定の面積を有する被載置部材と、当該被載置部材の周囲に位置して当該被載置部材が連結する枠体と、を備えた寝具基体と、
前記請求項１乃至３のいずれかに記載の前記起き上がり補助具と、を備え、
前記起き上がり補助具を構成する前記紐状部材の一端を、前記寝具基体を構成する前記枠体のうち、前記敷部材に横たわる人の足部側に配置された部位に連結した、
寝具。
【考案の詳細な説明】
【技術分野】
【０００１】
本考案は、起き上がり補助具にかかり、特に、寝ている人が自力で起き上がることを補助する起き上がり補助具に関する。
【背景技術】
【０００２】
足腰の機能の低下や病気により寝たきりとなる年配者や病人が存在する中、かかる年配者等の体力のさらなる低下や床ずれを防止すべく、簡単に起き上がらせるベッドが開発されている。例えば、特許文献１に開示のベッドは、上半身を起伏させたり、左右方向への体位の変化を容易とするよう構成されている。また、そのようなベッドを使用しない場合には、介護者の補助を利用して、年配者等を起き上がせることが行われている。
【先行技術文献】
【特許文献】
【０００３】
【特許文献１】特開平５−２６９１７３号公報
【考案の概要】
【考案が解決しようとする課題】
【０００４】
しかしながら、上述した特殊機能のベッドを用いる場合には、新たにかかる機能を装備したベッドを購入する必要があり、高いコストがかかる、という問題が生じる。また、介護者の補助を利用する場合には、介護者が不存在の場合には補助を受けることができない、という問題が生じる。そして、上述したような特殊機能を備えたベッドが無い場合や介護者の補助が得られない場合には、寝たきりの年配者等に起き上がるという意欲が湧かない場合があり、依然として寝たきり状態となってしまい、さらなる体力の低下や床ずれの増加、などの問題が生じる。
【０００５】
このため、本考案の目的は、上述した課題である、低コストにて、寝た者の起き上がり動作を補助し、寝たきりとなる者の起き上がる意識を向上させるとことができる起き上がり補助具を提供することにある。
【課題を解決するための手段】
【０００６】
かかる目的を達成するため本考案の一形態である起き上がり補助具は、
寝具に横たわる人の足部側に配置された配置具に一端が連結され、他端が寝具に横たわる人の頭部側にのびる紐状部材と、
上記紐状部材に任意の間隔で複数装備され、上記寝具に横たわる人によって把持可能な把持部材と、を備える。
そして、上記把持部材は、上記紐状部材に沿って上記寝具に横たわる人の頭部側に移動しないよう当該紐状部材に係止されて装備されている、という構成を採る。
【０００７】
また、上記起き上がり補助具では、
上記把持部材は、上記紐状部材に任意の間隔で形成された結び目によって当該紐状部材に沿って上記寝具に横たわる人の頭部側に移動しないよう係止されている、という構成を採る。
【０００８】
具体的に、上記把持部材は、中心に上記紐状部材が挿通される貫通穴を有しており、当該貫通穴の大きさは、当該貫通穴に挿通される上記紐状部材の上記配置具に連結された一端側よりも他端側が広く形成されており、上記貫通穴内の当該貫通穴が広く形成されている側に上記紐状部材の結び目が位置して、上記把持部材が上記紐状部材に沿って上記寝具に横たわる人の頭部側に移動しないよう係止されている、という構成を採る。
【０００９】
また、本考案の他の形態は、
横たわる人が体の下に敷く敷部材と、
上部に上記敷部材が載置される所定の面積を有する被載置部材と、当該被載置部材の周囲に位置して当該被載置部材が連結する枠体と、を備えた寝具基体と、
上述した起き上がり補助具と、を備える。
そして、上記起き上がり補助具を構成する上記紐状部材の一端を、上記寝具基体を構成する上記枠体のうち、上記敷部材に横たわる人の足部側に配置された部位に連結した、という構成を採る。
【考案の効果】
【００１０】
本考案は、以上のように構成されることにより、横たわる人が紐状部材に装備された把持部材を把持して引っ張ることで容易に起き上がることができ、低コストにて、寝たきりとなる者の起き上がる意識を向上させることができる。
【図面の簡単な説明】
【００１１】
【図１】本考案の実施形態１における起き上がり補助具が装備されたベッドの構成を示す正面図である。
【図２】本考案の実施形態１における起き上がり補助具が装備されたベッドの構成を示す平面図である。
【図３】図１及び図２に開示した起き上がり補助具の構成の詳細を示す図である。
【図４】本考案の実施形態２における起き上がり補助具が装備された寝具の構成を示す正面図及び平面図である。
【考案を実施するための形態】
【００１２】
＜実施形態１＞
本考案の第１の実施形態を、図１乃至図３を参照して説明する。図１は、起き上がり補助具が装備されたベッドの構成を示す正面図であり、図２は平面図である。図３は、起き上がり補助具の構成の詳細を示す図である。
【００１３】
［構成］
本考案である起き上がり補助具１０は、図１及び図２に示すように一般的なベッドに装備されるものである。なお、ベッドは、寝る人Ｈ（横たわる人）が体の下に敷く敷き部材であるマット２３と、当該マット２３が載置される略長方形状の基台２２（被載置部材）と、当該基台２２の四隅に設けられた脚部及び基台２２の各短辺側に設けられた各板部材にて構成され基台２２が固定される枠体２１と、を備えて構成されている。なお、枠体２１は、基台２２の周囲の一部に位置していればよく、また、基台２２と枠体２１とは一体的に構成され寝具基体を構成している。
【００１４】
そして、図２に示すように、ベッドのマット２３上には、当該マット２３の長辺に沿って寝る人Ｈが横たわった場合には、寝る人Ｈの頭部と足部が、それぞれ各短辺側に位置することとなる。
【００１５】
このような使用状態で、本考案である起き上がり補助具１０は、当該起き上がり補助具１０を構成する紐状部材１１の一端が、寝る人Ｈの足部が位置する側の枠体２１の一部である脚部（配置具）に固定される。例えば、紐状部材１１は、脚部に縛り付けて連結されたり、あるいは、脚部に設けられたフックに引っかけて連結される。但し、紐状部材１１の連結方法は任意であり、また、紐状部材１１は枠体２１のいかなる箇所に連結されてもよい。例えば、紐状部材１１の一端は、ベッドの幅方向の中央、つまり、枠体２１を構成する板部材の中央に連結されたり、脚部や板部材のより高い位置（例えば、脚部や板部材の上端付近）に連結されると特によい。そして、枠体２１は、当該枠体２１に固定された基台２２上にマット２３が配置されることで、さらにその上に寝る人Ｈが横たわった状態では、マット２３や人Ｈの重みで床に対して移動されることが抑制される。
【００１６】
ここで、上記では、紐状部材１１の一端を上記枠体２１の一部に連結する場合を例示したが、ベッド外に位置する柱などの他の部材に連結してもよい。この場合には、紐状部材１１を引っ張った場合であっても、容易に移動しない部材である必要がある。
【００１７】
そして、起き上がり補助具１０を構成する紐状部材１１は、その他端側が、寝る人Ｈの頭部側に向かって延びるよう配置される。さらに、紐状部材１１には、任意の間隔で、複数の球体１２（把持部材）が装備されている。この球体１２は、ベッドに寝る人Ｈの手で把持可能な大きさに形成されており、少なくとも紐状部材１１に沿って寝る人Ｈの頭部側に移動しないよう当該紐状部材１１に係止されている。
【００１８】
具体的に、球体１２には、図３に示すように、中心に貫通穴１２ａが形成されている。そして、貫通穴１２ａは、例えば円筒状に形成されており、その径（大きさ）が途中で変化して形成されている。例えば、貫通穴１２ａは、球体１２の内部で径が変化して段差が形成されており、一端側（図３の右側）では径が小さく（狭く）、他端側（図３の左側）では径が大きく（広く）形成されている。そして、貫通穴１２ａの径が小さい一端側が、紐状部材１１が枠体２１に連結されている側（一端側）に位置し、貫通穴１２ａの径が大きい他端側が、紐状部材１１が枠体２１に連結されている側（一端側）とは反対側（他端側）に位置して、球体１２が紐状部材１１に装備される。
【００１９】
そして、球体１２は、貫通穴１２ａに紐状部材１１が挿通され、当該紐状部材１１に形成された結び目１１ａによって係止される。具体的には、球体１２の貫通穴１２ａに紐状部材１１を挿通した後に、当該貫通穴１２ａの他端側で、紐状部材１１に結び目１１ａを作る。このとき、結び目１１ａを、貫通穴１２ａの径の大きい箇所には挿通可能であるが、径の小さい箇所には挿通不可能な大きさに形成する。すると、紐状部材１１の結び目１１ａは、貫通穴１２ａの径の大きい部分に収容された状態で当該貫通穴１２ａの段差部分に引っかかり、球体１２は紐状部材１１に沿って他端側、つまり、寝る人Ｈの頭部側に移動しないよう係止された状態となる。
【００２０】
ここで、上述した球体１２を構成する把持部材の外形は一例であって、寝る人Ｈが把持可能であればいかなる形状であってもよい。また、球体１２の貫通穴１２ａの形状も一例であって、例えば、一端側から他端側に向かって徐々に貫通穴１２ａの断面形状が大きくなるテーパー状に形成されていてもよい。さらに、球体１２は、他の方法で紐状部材１１に固定されていてもよい。
【００２１】
［動作］
次に、上述した起き上がり補助具１０の使用時の動作を説明する。まず、図２に示すように、ベッドに人Ｈが横たわり、足側に起き上がり補助具１０の紐状部材１１が連結され、頭部側に複数の球体１２が位置した状態であるとする。そして、寝た人Ｈが起きようとする際には、当該寝た人Ｈは手でいずれかの球体１２を把持し、自身の頭部側に引っ張る。このとき、球体１２は、上述したように紐状部材１１の結び目１１ａが貫通穴１２ａ内にて引っかかった状態であるため、頭部側には移動しない。また、紐状部材１１は、自身が乗っているベッドの枠体２１である脚部に縛り付けられているため、当該紐状部材１１も頭部側に移動しない。従って、寝た人Ｈは、球体１２を引っ張ることによって、容易に上半身を起き上がらせることができる。
【００２２】
＜実施形態２＞
次に、本考案の第２の実施形態を、図４を参照して説明する。図４（Ａ）は、本実施形態における起き上がり補助具が装備された布団の構成を示す平面図であり、図４（Ｂ）は平面図である。
【００２３】
［構成］
本実施形態における起き上がり補助具１０は、上述した実施形態１のものと同様の構成を採っている。但し、本実施形態では、寝具として布団に装備されている点で異なる。
【００２４】
具体的に、本実施形態における寝具である布団１２３は、一般的な布団であるが、起き上がり補助具１０を構成する紐状部材１１が連結される枠体１２１を備えている。この枠体１２１は、パイプや角材などの棒状部材が、略コの字型に形成されて構成されている。そして、この枠体１２１の一部である平行に位置する一対の棒状部材間には、布で形成されたシート１２２が固定されている。例えば、シート１２２は、両側部に筒状部が形成されており、当該各筒状部に枠体１２１の一対の棒状部材が挿通されることで、シート１２２が枠体１２１に固定された状態となる。そして、上記シート１２２の上に布団１２３が敷かれる。
【００２５】
また、枠体１２１の平行に位置する一対の棒状部材間を連結する他の棒状部材には、上述した起き上がり補助具１０を構成する紐状部材１１の一端が縛り付けられて連結される。つまり、布団１２３に寝る人Ｈの足部側が位置する枠体１２１の一部に、紐状部材１１の一端が連結される。そして、紐状部材１１の他端側は、布団１２３に寝る人Ｈの頭部側にのび、任意の間隔で球体１２が装備されている。
【００２６】
なお、起き上がり補助具１０は、上述した構成に限定されず、実施形態１で説明したように、球体１２の形状はいかなる形状であってもよい。また、紐状部材１１の一端は、枠体１２１に連結されていることに限定されず、布団外に位置する柱などの他の部材に連結してもよい。
【００２７】
［動作］
次に、上述した起き上がり補助具１０の使用時の動作を説明する。まず、布団１２３に人Ｈが横たわり、足側に起き上がり補助具１０の紐状部材１１が連結され、頭側に複数の球体１２が位置した状態であるとする。そして、寝た人Ｈが起きようとする際には、当該寝た人Ｈは手でいずれかの球体１２を把持し、自身の頭部側に引っ張る。このとき、球体１２は、上述したように紐状部材１１の結び目１１ａが貫通穴１２ａ内にて引っかかった状態であるため、頭部側に移動しない。また、紐状部材１１は、自身が乗っている布団１２３の下部に位置するシート１２２が固定された枠体１２１に縛り付けられているため、当該紐状部材１１も頭部側に移動しない。従って、寝た人Ｈは、球体１２を引っ張ることによって、容易に上半身を起き上がらせることができる。
【００２８】
以上、上記各実施形態を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００２９】
１０    起き上がり補助具
１１    紐状部材
１１ａ  結び目
１２    球体
１２ａ  貫通穴
２１    枠体
２２    基台
２３    マット
１２１  枠体
１２２  シート
１２３  布団
【図１】
0003160445.tif 000003
【図２】
0003160445.tif 000004
【図３】
0003160445.tif 000005
【図４】
0003160445.tif 000006